【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
光硬化性合成物を硬化させるために放射エネルギーを放出するように構成された再充電可能な歯科用光硬化装置であって、
装着可能端部分と発光端部分との間に延在するボデー部分であって、前記発光端部分は繰返し洗浄できるように水密にされており、前記ボデー部分は使用者の手の中に保持されるように構成されており、前記装着可能端部分が、歯科用ハンドピース保持トレーの複数の互いに同じ標準ハンドピースホルダのうち任意の一つの中にぴったりとはまるサイズおよび形状に構成されたボデー部分と、
前記水密にされた発光端部分に固定され、光硬化性合成物を硬化させるのに適した放射エネルギーを放出するように構成された光源と、
前記光源に給電するように構成された再充電可能な電源であって、歯科用ハンドピース保持トレーに装着された再充電ドッキングステーションに前記光硬化装置の前記装着可能端部分が装着されたときに前記再充電ドッキングステーションによって再充電されるように構成された電源と
を備え、
前記固定された光源を含む前記再充電可能な歯科用光硬化装置は、繰返し使用されるように構成され、前記装置が複数回使用されたときに少なくとも発光端部分の清潔さを維持するために、少なくとも前記発光端部分が水密且つ繰返し洗浄可能であることを特徴とする装置。
【請求項２】
前記再充電可能な電源は、前記装着可能端部分のところから露出した１個又はそれ以上の電気接点を通して再充電されるように構成されていることを特徴とする請求項１に記載の再充電可能な歯科用光硬化装置。
【請求項３】
前記露出した１個又はそれ以上の電気接点は、前記装着可能端部分が前記再充電ドッキングステーションの中に受け取られたときに、前記再充電ドッキングステーションの対応する電気接点と電気的に結合することを特徴とする請求項２に記載の再充電可能な歯科用光硬化装置。
【請求項４】
前記露出した電気接点はピンを含むことを特徴とする請求項３に記載の再充電可能な歯科用光硬化装置。
【請求項５】
前記露出した電気接点は、前記装着可能端部分の少なくとも一部分を巻いて円周方向に延在する帯を含むことを特徴とする請求項３に記載の再充電可能な歯科用光硬化装置。
【請求項６】
前記再充電可能な電源は、前記装着可能端部分が再充電ドッキングステーションの中に受け取られたときに、再充電ドッキングステーションによる誘導によって再充電されるように構成されていることを特徴とする請求項１に記載の再充電可能な歯科用光硬化装置。
【請求項７】
前記再充電可能な歯科用光硬化装置が全体として水密であって、それ故に複数回使用されたときに前記装置の清潔さを維持するために繰返し洗浄可能であるように、前記ボデー部分の前記装着可能端部分が水密であることを特徴とする請求項１に記載の再充電可能な歯科用光硬化装置。
【請求項８】
前記光源は、ＬＥＤとＬＥＤアレイのうちの少なくとも一方を含むことを特徴とする請求項１に記載の再充電可能な歯科用光硬化装置。
【請求項９】
光硬化性合成物を硬化させるために放射エネルギーを放出するように構成された再充電可能な歯科用光硬化装置であって、
装着可能端部分と発光端部分との間に延在し複数回使用されたときに清潔さを維持するために繰返し洗浄可能な水密のボデー部分であって、使用者の手の中に保持されるように構成されたボデー部分と、
前記発光端部分に固定され、光硬化性合成物を硬化させるのに適した放射エネルギーを放出するように構成された光源であって、前記放射エネルギーが前記発光端部分から放出される光源と、
前記水密のボデー部分の中に配置された再充電可能な電源であって、前記光源に給電するように構成されており、前記水密のボデー部分の内部に密閉された電磁的な電気構成部品を含み、前記電磁的な電気構成部品は、前記装置が複数回使用されたときに前記装置の清潔さを維持するために前記歯科用光硬化装置が水密を維持し且つ繰返し洗浄可能であるように、露出された電気接点を使うことなしに前記再充電可能な電源を誘導によって再充電すべく、再充電ドッキングステーションの対応する電磁気構成部分を通る電流の流れによって生成される磁場に反応するように構成されている電源と
を備えることを特徴とする装置。
【請求項１０】
前記装着可能端部分は、歯科用ハンドピース保持トレーの複数の互いに同じ標準ハンドピースホルダのうち任意の一つの中にぴったりとはまるサイズおよび形状に構成されていることを特徴とする請求項９に記載の再充電可能な歯科用光硬化装置。
【請求項１１】
前記再充電可能な電源は、前記光硬化装置の前記装着可能端部分が再充電ドッキングステーションに装着されたときに、再充電ドッキングステーションによる誘導によって再充電されるように構成されていることを特徴とする請求項１０に記載の再充電可能な歯科用光硬化装置。
【請求項１２】
前記光源は、ＬＥＤとＬＥＤアレイのうちの少なくとも一方を含むことを特徴とする請求項１０に記載の再充電可能な歯科用光硬化装置。
【請求項１３】
歯科処置の実行のために使用される複数の互いに異なるハンドピースのうち任意のものを都合よく提示するためにデンタルトレーにそれぞれ取りつけられる複数の互いに実質的に同一なハンドピースホルダを含み、前記複数のハンドピースのうち少なくとも幾つかは給電を要する改善されたトレーシステムであって、光硬化性合成物を硬化させるための再充電可能な歯科用硬化光装置を含むトレーシステムにおいて、
光硬化装置を備え、前記光硬化装置は、
装着可能端部分と発光端部分との間に延在する細長いボデー部分であって、外部電線なしに使用者の手の中に保持されるように構成されており、前記歯科用硬化光装置の前記装着可能端部分が、前記歯科用硬化光装置を再充電するための電気構成部品を含んでいる細長いボデー部分と、
光硬化性合成物を硬化させるのに適した放射エネルギーを放出するように構成された光源であって、前記放射エネルギーが前記発光端部分から放出される光源と、
光硬化性合成物を硬化させるために使用される際に前記歯科用硬化光装置が外部電線に接続されないように、前記ボデー部分内に配置された電気的に再充電可能な電源と、
前記互いに実質的に同一なハンドピースホルダのうちの再充電ドッキングステーションを備えた少なくとも一つと、を備え、前記再充電ドッキングステーションは、
前記歯科用光硬化装置の前記装着可能端部分と摩擦係合するサイズおよび形状に構成された内部空洞を備えた装着ボデー構造と、
前記装着ボデー構造の内部空洞内に配置され、前記歯科用光硬化装置の前記装着可能端部分が前記装着ボデー構造の前記内部空洞の中に受け取られたときに前記再充電可能な電源を再充電するための手段と、
を備えることを特徴とする歯科用トレーシステム。
【請求項１４】
前記再充電するための手段は、前記装着ボデー構造上又はその内部に配置された電気接点であって、前記光硬化装置の前記装着可能端部分が前記再充電ドッキングステーションの前記装着ボデー構造の中に装着されたときに、前記光硬化装置の前記装着可能端部分から延在する電気ピンと電気的に結合するように構成された電気接点からなることを特徴とする請求項１３に記載の再充電可能な歯科用光硬化装置を含むシステム。
【請求項１５】
前記再充電するための手段は、前記装着ボデー構造上又はその内部に設置された電気接点であって、前記光硬化装置の前記装着可能端部が前記再充電ドッキングステーションの前記装着ボデー構造内に装着されたときに、前記光硬化装置の前記装着可能端部分の周りに円周方向に延在する対応する電気接点と電気的に結合するように構成された電気接点からなることを特徴とする請求項１３に記載の再充電可能な歯科用光硬化装置を含むシステム。
【請求項１６】
再充電するための前記手段は、前記光硬化装置の前記装着可能端部が前記再充電ドッキングステーションの前記装着ボデー構造内に装着されたときに、前記光硬化装置の前記電源を誘導によって再充電するように構成された電磁気構成部品からなることを特徴とする請求項１３に記載の再充電可能な歯科用光硬化装置を含むシステム。
【請求項１７】
前記光硬化装置は水密であって、それ故に、複数回使用されたときに前記装置全体の清潔さを維持するために繰返し洗浄可能であることを特徴とする請求項１６に記載の再充電可能な歯科用光硬化装置を含むシステム。
【請求項１８】
前記光源はＬＥＤ光源からなることを特徴とする請求項１３に記載の再充電可能な歯科用光硬化装置を含むシステム。
【手続補正２】
【補正対象書類名】明細書
【補正対象項目名】発明の名称
【補正方法】変更
【補正の内容】
【発明の名称】再充電可能な歯科用光硬化装置及びシステム